(57)【特許請求の範囲】
【請求項１】
リモートコントローラと、前記リモートコントローラによって制御される装置本体とから成るリモートコントロールシステムであって、
前記リモートコントローラには、当該リモートコントローラに関する情報が格納された無線ＩＣタグが装着されており、
前記装置本体には、前記リモートコントローラが存在することを前提とした通常操作モードと、前記リモートコントローラが紛失又は電池切れであることを前提としたモードであって前記通常操作モードに比べて操作可能内容が追加された非常操作モードと、が用意されており、
前記装置本体には、前記非常操作モード用のボタンと、独自電源を有する着脱自在な読取部とが設けられており、前記ボタンに対する操作は前記通常操作モード時には無効とされ、前記非常操作モード時には有効とされ、前記読取部は、前記無線ＩＣタグに格納されている前記情報を無線ＩＣタグが発する電磁波を検知して読み取ることができ且つ前記無線ＩＣタグを検知できない事態が生じたときには音報知を行うことを特徴とするリモートコントロールシステム。
【請求項２】
請求項１に記載のリモートコントロールシステムにおいて、前記装置本体から前記読取部を離脱した状態では、前記無線ＩＣタグを検知できるときに音報知を行うことを特徴とするリモートコントロールシステム。
【請求項３】
請求項２に記載のリモートコントロールシステムにおいて、前記装置本体に前記読取部が装着されているときに発する音と前記装置本体から前記読取部が離脱されているときに発する音とが異なることを特徴とするリモートコントロールシステム。
【請求項４】
リモートコントローラと、前記リモートコントローラによって制御される装置本体とから成るリモートコントロールシステムであって、
前記リモートコントローラには、当該リモートコントローラに関する情報が格納された無線ＩＣタグが装着されており、
前記装置本体には、前記リモートコントローラが存在することを前提とした通常操作モードと、前記リモートコントローラが紛失又は電池切れであることを前提としたモードであって前記通常操作モードに比べて操作可能内容が追加された非常操作モードと、が用意されており、
前記装置本体には、前記非常操作モード用のボタンと、独自電源を有する着脱自在な読取部とが設けられており、前記ボタンに対する操作は前記通常操作モード時には無効とされ、前記非常操作モード時には有効とされ、前記読取部は、前記無線ＩＣタグに格納されている前記情報を無線ＩＣタグが発する電磁波を検知して読み取ることができ且つ前記装置本体から離脱した状態では、前記無線ＩＣタグを検知できるときに音報知を行うことを特徴とするリモートコントロールシステム。
【請求項５】
請求項２乃至請求項４のいずれかに記載のリモートコントロールシステムにおいて、前記読取部は、前記装置本体から離脱された状態であるとき、検知できる電磁波の強度が高いほど前記音報知の音を大きくすることを特徴とするリモートコントロールシステム。
【請求項６】
リモートコントローラと、前記リモートコントローラによって制御される装置本体とから成るリモートコントロールシステムであって、
前記リモートコントローラには、当該リモートコントローラに関する情報が格納された無線ＩＣタグが装着されており、
前記装置本体には、前記リモートコントローラが存在することを前提とした通常操作モードと、前記リモートコントローラが紛失又は電池切れであることを前提としたモードであって前記通常操作モードに比べて操作可能内容が追加された非常操作モードと、が用意されており、
前記装置本体には、前記無線ＩＣタグに格納されている前記情報を無線ＩＣタグが発する電磁波を検知して読み取ることができ且つ前記無線ＩＣタグを検知できない事態が生じたときには、そのことを装置本体のマイクロコンピュータに通知する読取部と、前記非常操作モード用のボタンとが設けられており、前記マイクロコンピュータは前記読取部から前記通知を受け取ったときに、前記非常操作モードを採用し、前記ボタンに対する操作は前記通常操作モード時には無効とされ、前記非常操作モード時には有効とされることを特徴とするリモートコントロールシステム。
【請求項７】
請求項１乃至請求項６のいずれかに記載のリモートコントロールシステムにおいて、前記非常操作モード用の前記ボタンが本体操作部に設けられていることを特徴とするリモートコントロールシステム。
【請求項８】
請求項１乃至請求項７のいずれかに記載のリモートコントロールシステムにおいて、前記無線ＩＣタグは前記リモートコントローラの駆動電源から動作電力を得ることを特徴とするリモートコントロールシステム。
【請求項９】
請求項１乃至請求項７のいずれかに記載のリモートコントロールシステムにおいて、前記無線ＩＣタグは前記読取部が発する電磁波にて動作電力を得ることを特徴とするリモートコントロールシステム。
【発明の詳細な説明】
【技術分野】
【０００１】
この発明は、リモートコントローラと、前記リモートコントローラによって制御される装置本体とから成るリモートコントロールシステムに関する。
【背景技術】
【０００２】
リモートコントローラと、前記リモートコントローラによって制御される装置本体とから成るリモートコントロールシステムとして、テレビジョンセット、ＤＶＤレコーダ、オーディオセット、エアコンディショナー、カメラセットなどが知られている。そして、紛失したリモコン送信機を容易に発見できるようにしたリモコン送信機も知られている（特許文献１参照）。また、従来より、商品管理等の要請から、商品や書籍などに無線ＩＣタグを設けることが行われている（特許文献２，３参照）。
【特許文献１】特開２００１−８３５９５号公報
【特許文献２】特開２００６−３９９０２号公報
【特許文献３】特開２００４−１０２９４７号公報
【発明の開示】
【発明が解決しようとする課題】
【０００３】
ところで、上記特許文献１にも示されているごとく、リモートコントローラは紛失することがあり、これを探すのに一苦労することがある。特許文献１記載の技術では、リモコン送信機に、カメラから送信された制御信号を受信する受信部及び振動発生手段を備える必要がある。また、装置本体に設けられている操作ボタン（操作可能内容）に比べて前記リモートコントローラに設けられている操作ボタン（操作可能内容）の方が多いのが一般的であり、リモートコントローラを紛失すると操作内容が制限されることになる。
【０００４】
この発明は、上記の事情に鑑み、リモートコントローラの紛失予防や紛失に伴う苦労不便を解消できるリモートコントロールシステムを提供することを目的とする。
【課題を解決するための手段】
【０００５】
この発明のリモートコントロールシステムは、上記の課題を解決するために、リモートコントローラと、前記リモートコントローラによって制御される装置本体とから成るリモートコントロールシステムであって、前記リモートコントローラには、当該リモートコントローラに関する情報が格納された無線ＩＣタグが装着されており、前記装置本体には、前記無線ＩＣタグに格納されている前記情報を無線ＩＣタグが発する電磁波を検知して読み取ることができ且つ前記無線ＩＣタグを検知できない事態が生じたときには音報知を行う読取部が設けられていることを特徴とする（以下、この項において第１構成という）。
【０００６】
上記第１構成であれば、例えば、テレビジョンセット用のリモートコントローラが例えば幼児によって隣の部屋に持っていかれることで前記無線ＩＣタグを検知できないようなことになれば、前記音報知が行われることになり、ユーザは、この音報知を聞いて前記リモートコントローラが持っていかれたことを知り、紛失する前に未然に前記リモートコントローラを取り返すことができる。また、例えば、カメラ用のリモートコントローラをベンチの上に置き忘れた場合、装置本体としてのカメラ側で無線ＩＣタグを検知できないような距離離れると（例えば、前記ベンチから５メートルを超えた所まで行くと）、前記音報知が行われることになり、ユーザは、この音報知を聞いて前記リモートコントローラの置き忘れに気付くことになる。
【０００７】
上記第１構成において、前記読取部は独自電源を有し、前記装置本体に対して着脱自在に設けられていてもよい。また、かかる着脱自在構成において、前記装置本体から離脱した状態では、前記無線ＩＣタグを検知できるときに音報知を行うこととしてもよい。これら構成であれば、前記読取部を無線ＩＣタグに対する探知機のごとく利用することができる。また、かかる構成において、装置本体に装着されているときに発する音と装置本体から離脱されているときに発する音とが異なることとしてもよい。
【０００８】
また、この発明のリモートコントロールシステムは、リモートコントローラと、前記リモートコントローラによって制御される装置本体とから成るリモートコントロールシステムであって、前記リモートコントローラには、当該リモートコントローラに関する情報が格納された無線ＩＣタグが装着されており、前記装置本体には、独自電源を有する読取部が着脱自在に設けられており、前記読取部は、前記無線ＩＣタグに格納されている前記情報を無線ＩＣタグが発する電磁波を検知して読み取ることができ且つ前記装置本体から離脱した状態では、前記無線ＩＣタグを検知できるときに音報知を行うことを特徴とする（以下、この項において第２構成という）。
【０００９】
上記第２構成であれば、第１構成における読取部の装着時における作用は得られないものの、前記読取部を無線ＩＣタグに対する探知機のごとく利用することはできる。
【００１０】
前記装置本体から離脱した状態では前記無線ＩＣタグを検知できるときに音報知を行う構成においては、前記読取部は、前記装置本体から離脱された状態であるとき、検知できる電磁波の強度が高いほど前記音報知の音を大きくすることとしてもよい。
【００１１】
また、この発明のリモートコントロールシステムは、リモートコントローラと、前記リモートコントローラによって制御される装置本体とから成るリモートコントロールシステムであって、前記リモートコントローラには、当該リモートコントローラに関する情報が格納された無線ＩＣタグが装着されており、前記装置本体には、前記無線ＩＣタグに格納されている前記情報を無線ＩＣタグが発する電磁波を検知して読み取ることができ且つ前記無線ＩＣタグを検知できない事態が生じたときには、そのことを装置本体のマイクロコンピュータに通知する読取部が設けられていることを特徴とする（以下、この項において第３構成という）。
【００１２】
上記の構成であれば、装置本体として、リモートコントローラの存在を確認できない事態の発生を知得することができる。
【００１３】
上記第３構成において、前記装置本体には、前記リモートコントローラが存在することを前提とした通常操作モードと、前記リモートコントローラが紛失又は電池切れであることを前提としたモードであって前記通常操作モードに比べて操作可能内容が追加された非常操作モードと、が用意されており、前記マイクロコンピュータは前記通知を受け取ったときに、前記非常操作モードを採用することとしてもよい。例えば、映像を表示するディスプレイと、前記ディスプレイ上に設けられたタッチ検出部とを備えており、前記非常操作モードでは、追加操作内容であるボタンを前記ディスプレイに表示し、前記タッチ検出部によってどのボタンが操作されたかを検出することとしてもよい。或いは、前記非常操作モード用のボタンが本体操作部に設けられており、前記ボタンに対する操作は通常操作モード時には無効とされ、非常操作モード時には有効とされることとしてもよい。
【００１４】
これら構成のリモートコントロールシステムにおいて、前記無線ＩＣタグは前記リモートコントローラの駆動電源から動作電力を得ることとしてもよい。或いは、前記無線ＩＣタグは前記読取部が発する電磁波にて動作電力を得ることとしてもよい。
【発明の効果】
【００１５】
この発明によれば、リモートコントローラの紛失予防や紛失に伴う苦労不便を解消できるという効果を奏する。
【発明を実施するための最良の形態】
【００１６】
以下、この発明の実施形態を図１に基づいて説明する。図１には、リモートコントロールシステムの一例としてテレビジョンセット３０を示している。
【００１７】
アンテナ１は地上放送局から送られてくるディジタル放送信号を受信する。地上ディジタルチューナ２は、映像音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポートストリームを出力する。
【００１８】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）或いはＨ．２６４のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。ＡＶデコーダ部はビデオストリームに対してデコードを行うビデオデコーダ、オーディオストリームに対してデコードを行うオーディオデコーダから成る。ビデオデコーダから出力される映像データは映像処理部４に出力され、オーディオデコーダから出力される音声データは音声処理部５に出力される。
【００１９】
映像処理部４は、受信映像の映像データを受け取ってＤ／Ａ変換等を行い、映像信号を生成する。また、映像処理部４はＯＳＤ（オンスクリーンディスプレイ機能）を有し、マイコン１３から出力指示された文字情報や色情報に基づく映像を前記映像データに合成する。音声処理部５は、デコーダ３から出力された音声データを受け取って右（Ｒ）音データ及び左（Ｌ）音データを生成する。
【００２０】
映像信号はドライバ７を経てディスプレイ（例えば、液晶表示パネル等）１１に供給される。音声データはＤ／Ａ変換アンプ８を経てアナログ信号に変換されてスピーカ１２に入力される。
【００２１】
メモリ（ＲＡＭ、ＥＥＰＲＯＭ、フラッシュメモリ、ＲＯＭ等）１４には、各種プログラムやデータなどが格納される。テレビジョンセット３０の電源ＯＮ時に、マイコン（マイクロコンピュータ）１３は、ＲＯＭに格納されているプログラムやデータをＲＡＭに展開し、ＲＡＭ上のプログラムを実行する。このプログラムには、ＨＤＤ１７、ＵＳＢインターフェイス２０、ＬＡＮインターフェイス１８を制御するドライバやプロトコルスタックが含まれる。
【００２２】
リモコン送信機（リモートコントローラ）１５は、当該テレビジョンセット３０に指令を送出するための送信機である。このリモコン送信機１５に設けられたキーを操作すると、そのキーに対応した指令を意味する信号光（リモコン信号）が発光部から送出される。受光部１６は、前記リモコン送信機１５のキーが操作されたときに出力される信号光を受光し、これを電気信号に変換してコード解析を行い、チャンネル番号情報等をマイコン１３に与える。
【００２３】
また、リモコン送信機１５の筐体表面又は筐体内等には、無線ＩＣタグ１５ａが貼り付けられている。前記無線ＩＣタグ１５ａには、前記リモコン送信機１５に関する情報（ＩＤコード、メーカー情報、製造番号、対応機器情報等を示すＩＣデータ）が格納されている。
【００２４】
一方、テレビジョンセット３０の本体には、読取部２３が設けられている。この読取部２３は、前記無線ＩＣタグ１５ａに格納されている前記情報（ＩＣデータ）を無線ＩＣタグが発する電磁波を検知して読み取ることができる。例えば、読取部２３は読取のための電磁波を例えば３秒間隔で出射している。この電磁波を無線ＩＣタグ１５ａがそのアンテナにて受け取ると電力が発生する。無線ＩＣタグ１５ａはこの電力を利用して前記情報を前記アンテナから電磁波として発することになる。読取部２３は無線ＩＣタグ１５ａが発する電磁波を受け取って前記情報を取得することになる。
【００２５】
更に、読取部２３は、図示しないメモリを有しており、このメモリには前記リモコン送信機１５に関する情報と同じ情報（確認用データ）が格納されている。読取部２３は、受け取った情報（ＩＣデータ）と前記メモリに格納されている情報（確認用データ）とが一致するかどうかを判定する。この一致判断は例えば先述したＩＤコードのみの一致判断としてもよい。読取部２３は、前記メモリの他、電磁波の変復調回路、上記判定のための処理や前記メモリからの情報読出を実行するマイクロコンピュータを備えて構成されている。また、読取部２３は、音出力部２３ａを備えている。読取部２３のマイクロコンピュータは、前記判定において一致の結果が得られたときには、特に処理は行わない一方、前記判定において一致の結果が得られない場合（前記電磁波を受信できない場合も含まれる）、前記音出力部２３ａを動作させる。音出力部２３ａは、例えば、ブザー音、電子音、音声メモリに格納されている音声などを出力する。なお、上記構成の読取部２３は、情報格納と一致判断処理と音出力処理とを自身で行っているが、これら処理の全て又は一部を、装置本体の回路、例えば、メモリ１４、マイコン１３、スピーカ１２を利用して行うこととしてもよい。
【００２６】
前記読取部２３においては、当該読取部２３が発する電磁波の出射レベル及び前記無線ＩＣタグ１５ａが発する電磁波の受信可能範囲（電磁波受信のための電磁波増幅率）を調整するための摘まみを設けおくのがよい。ユーザは、テレビジョンセット３０が設置されている部屋内では前記音出力部２３ａから音が出力されず、前記部屋からリモコン送信機１５を持ち出したときに前記音出力部２３ａから音が出力されるように前記電磁波出射レベル及び受信可能範囲を調節しておく。
【００２７】
例えば、居間でテレビを視聴しているときに、幼児がリモコン送信機１５を居間の外へ持ち出してしまうことがあるが、前記読取部２３が読み取ることができる受信範囲の外にリモコン送信機１５が持ち出されると、先述のごとく、前記音出力部２３ａから音が出力される。ユーザは、この音により、リモコン送信機１５が居間の外へ持ち出されたことに気づき、リモコン送信機１５が紛失する前にリモコン送信機１５を取り戻すことができる。なお、仮に、室内のエアコンディショナー用のリモコン送信機等にも無線ＩＣタグが貼付されているとしても、当該無線ＩＣタグが発する情報はリモコン送信機１５が発する情報とは異なることとなるため、リモコン送信機の誤認は生じない。
【００２８】
テレビジョンセット３０がスタンバイ状態のときにも、前記読取部２３への通電を行っておくこととしてもよい。この場合、テレビ視聴中でなくても、ユーザは、前記音出力部２３ａが発する音により、リモコン送信機１５が居間の外へ持ち出されたことに気づくことになる。
【００２９】
また、読取部２３は、前記音出力部２３ａに対して音出力を指令すると同時にマイコン１３にも、リモコン送信機１５の存在が確認できないことを示す通知（信号）を与えることとしてもよい。テレビ視聴中（テレビ電源ＯＮ時）であれば、マイコン１３は、前記通知を受けたときに、ＯＳＤ部に対して、例えば、「リモコンの存在が確認できません」といった文字メッセージを受信映像にスーパーインポーズさせることもできる。
【００３０】
前記読取部２３は独自電源を有し、テレビジョンセット３０の本体に対して着脱自在に設けられていてもよい。このような構成であれば、リモコン送信機１５が何処に行ったのか分からないときに、前記読取部２３を手に持って各部屋の中を歩き回ってみる。リモコン送信機１５（無線ＩＣタグ１５ａ）の存在場所に近づいたときには、前記音出力部２３ａは音を発しなくなるので、ユーザはリモコン送信機１５に近づいたことを知ることになる。なお、読取部２３には、音発生を停止させるスイッチを設けておいてもよい。
【００３１】
前記読取部２３は、テレビジョンセット３０の本体から離脱した状態では、前記無線ＩＣタグ１５ａを検知できるときに音報知を行うこととしてもよい。すなわち、読取部２３は、テレビジョンセット３０の本体に装着されている状態では、前記無線ＩＣタグ１５ａを検知できないときに音報知を行い、テレビジョンセット３０の本体から離脱させられた状態では、前記無線ＩＣタグ１５ａを検知できるときに音報知を行う。この音報知においては、装着状態で発する音と、離脱状態で発する音とを異ならせる（例えば、波長、リズム、メロディ、音間隔、音声等において異ならせる）こととするのがよい。
【００３２】
なお、前記読取部２３において、装着時の動作内容が省かれた構成の読取部を採用することもできる。すなわち、装着状態でも、無線ＩＣタグを検知できないときに音報知する動作は行わず、離脱状態では前記無線ＩＣタグ１５ａを検知できるときに音報知を行う構成（以下、第２構成ということがある）とすることもできる。
【００３３】
上記のごとく着脱自在とされる読取部については、離脱時には、無線ＩＣタグ１５ａと通信を行うための電磁波を、常時発生させる（或いは、先述の３秒間隔を１秒間隔とするなど、期間を短くする）こととしてもよいし、読取部に設けられた図示しないスイッチが操作されるたびに発生させることとしてもよい。
【００３４】
テレビジョンセット３０の本体に読取部２３が装着されているか或いは離脱した状態かどうかは、以下のような構成を採用することで判断できる。例えば、本体の装着部に凸部を設けておき、読取部２３が装着されているときに前記凸部に作動片が押されてスイッチＯＦＦとなり、離脱させられると前記作動片は押されずにスイッチＯＮとなる構成、或いは、本体の装着部に磁石が設けられており、読取部２３が装着されているときに前記磁石に作動片が引き寄せられてスイッチＯＦＦとなり、離脱させられると前記作動片に対する引き寄せが無くなってスイッチＯＮとなる構成などを採用できる。また、読取部２３が二次電池を有しており、装着時に本体から給電を受ける構成であるなら、給電状態かどうかを判断する回路を設けておくことでも、装着状態かどうかを判断することができる。勿論、これら構成に限定されるものではない。
【００３５】
読取部２３のマイクロコンピュータは、読取部２３が本体に装着されている状態か或いは離脱した状態かによって先述した動作を切り替える。なお、前記の第２構成においては、動作を切り替えるというよりも、離脱状態であることを検出したときに、前記動作（前記無線ＩＣタグ１５ａを検知すると、音報知を行うこと）を開始することになる。
【００３６】
このような構成であれば、リモコン送信機１５（無線ＩＣタグ１５ａ）の存在場所に近づいたときには、前記音出力部２３ａは音を発することになるので、この音でユーザはリモコン送信機１５（無線ＩＣタグ１５ａ）に近づいたことを知ることになる。なお、読取部２３は、無線ＩＣタグ１５ａが発する電磁波の受信レベル（受信電界強度）が大であるほど、前記音出力部２３ａが発する音の音量を大きくするのが望ましい。
【００３７】
なお、前記読取部２３は、独自電源（二次電池）を内蔵するＵＳＢ機器として構成され、ＵＳＢ用インターフェイス２０に着脱されて使用されることとしてもよいものである。
【００３８】
また、上述したリモートコントロールシステムは、テレビジョンセットに限らず、ビデオレコーダ、エアコンディショナーなどにも適用できる。
【００３９】
また、テレビジョンセット３０は、前記リモコン送信機１５が存在することを前提とした通常操作モードと、前記リモコン送信機１５が紛失した又は電池切れであることを前提としたモードであって前記通常操作モードに比べて操作可能内容が追加された非常操作モードと、を用意しておき、前記マイクロコンピュータ１３は前記読取部２３からリモコン送信機１５の存在を確認できない旨の通知を受け取ったときに、前記非常操作モードを採用することとしてもよい。
【００４０】
例えば、テレビジョンセット３０におけるディスプレイ１１の最下辺にタッチ検出部を設けおく。このタッチ検出部は電極を透明フィルムにて挟んだ構造を有しており、押下する場所（電極の接触場所）によって抵抗値が変化する。マイコン１３は、非常操作モードを採用するとき、ＯＳＤ部にて、前記タッチ検出部の配置箇所に対応する画面の最下辺領域に、本体操作部には無いボタンの表示を行う。例えば、「コントラスト上げ」、「コントラスト下げ」「サラウンド」、「映像モード選択」、「時計設定」といったボタン表示を行う。マイコン１３は前記タッチ検出部が出力する抵抗値に基づいて、どのボタンが押されたかを判断し、ボタンが示す内容に対応する処理を実行する。ボタン表示を横一列で行うこととしてもよいし、二列以上としてもよい。
【００４１】
或いは、前記非常操作モード用のボタンをテレビジョンセット３０の本体操作部に設けておき、前記ボタンに対する操作は通常操作モード時には無効とされ、非常操作モード時には有効とされる（マイコン１３は操作されたボタンが示す内容に対応する処理を実行する）こととしてもよい。
【００４２】
また、上記の実施例では、無線ＩＣタグ１５ａは読取部２３が発する電磁波を得て動作電力を生成することとしたが、これに限らない。無線ＩＣタグ１５ａはリモコン送信機１５に内蔵される電池から電力を得ることとしてもよい。この場合、リモコン送信機１５の電池が切れたときや切れかかっているときにも、読取部２３は無線ＩＣタグ１５ａを検知できないことが生じる。従って、読取部２３が無線ＩＣタグ１５ａを検知できないときに出力する音は、リモコン送信機１５の電池切れを示す報知音にもなる。
【図面の簡単な説明】
【００４３】
【図１】この発明の実施形態のテレビジョンセットを示したブロック図である。
【符号の説明】
【００４４】
１３    マイコン（マイクロコンピュータ）
１４    メモリ
１５    リモコン送信機
１５ａ  無線ＩＣタグ
２０    ＵＳＢ用インターフェイス
２３    読取部
２３ａ  音出力部
３０    テレビジョンセット
【図１】
0004606379.tif 000002